(57)【特許請求の範囲】
【請求項１】
略矩形状の底面板の四辺から左面板と前面板と右面板と後面板が直立し、後面板の上辺に、第一上蓋板と、第二上蓋板と、差込み片とを、折り目線を介して順に連設して、直方体状に製箱したランチボックスにおいて、前記第一上蓋板および前記第二上蓋板の側縁部には、それぞれ、２本の切れ目線からなる第一のロック片および第二のロック片がそれぞれ設けられ、前記第二のロック片と前記第一のロック片は、前記第一上蓋板と前記第二上蓋板とを連設する折り目線を挟んで形状および位置が対称であるとともに、側縁部に向かって幅が広がっており、前記第二上蓋板を折り目線で内側へ折り返して重ね合わせ、前記第二のロック片と前記第一のロック片を重ねて押し込むことで開放可能にロックできることを特徴とするランチボックス。
【請求項２】
請求項１に記載のランチボックスにおいて、前記第一上蓋板の第一のロック片と反対の側縁部には、２本の切れ目線からなる第三のロック片が、および、前記第二上蓋板の第二のロック片と反対の片側縁部には、２本の切れ目線からなる第四のロック片が、それぞれ設けられ、前記第四のロック片と前記第三のロック片は、前記第一上蓋板と前記第二上蓋板とを連設する折り目線を挟んで形状および位置が対称であるとともに、側縁部に向かって幅が広がっており、前記第二上蓋板を折り目線で内側へ折り返して重ね合わせ、前記第二のロック片と前記第一のロック片、及び前記第四のロック片と前記第三のロック片とを重ねて押し込むことで開放可能にロックできることを特徴とするランチボックス。
【発明の詳細な説明】
【技術分野】
【０００１】
本発明は、ランチボックスに関し、さらに詳しくは、コストの増加せず、廃棄しやすく、開封時にも食品の汁などで周辺を汚さず、食する時には上蓋が邪魔にならず食べやすいランチボックスに関するものである。
【背景技術】
【０００２】
（主なる用途）本発明のランチボックスの主なる用途としては、朝食用、昼食用、夜食用、ピクニック用、ファーストフード用及び行動食などの種々の給食用の料理を盛るボックスであり、ランチに限るものではない。しかしながら、コストの増加せず、廃棄しやすく、開封時にも周辺を汚さず、上蓋が邪魔にならない用途のボックス状容器であれば、特に限定されるものではない。
【０００３】
（背景技術）お弁当やファーストフード業界では使い捨て食器として、製造が容易で、コストが安いので、発泡ポリスチレン製のランチボックスが広く使用されていた。しかしながら、耐熱性が低く、廃棄後でも自然分解性がなく環境保護の面から、紙製食器が使わるようになってきた。紙製食器は紙片を折って成形された箱状で上蓋で覆うもので、該蓋は食する時には、外側に折り返し底部に敷くが、水分や汁分が付着していることが多いので、テーブルや机上などの周辺を汚してしまうという欠点があった。また、上蓋を内側へ２つ折りに折り込むと、跳ね返るために、手で押えなくてはならないという欠点があった。さらに、上蓋を切り取ってしまうとボックス部分まで破壊したり、水分や汁分が付着した蓋が周辺を汚したり、廃棄時に別々に廃棄するので廃棄に不便であるという欠点があった。
従って、ランチボックスは、コストの増加せず、廃棄しやすく、開封時にも食品の汁などで周辺を汚さず、食する時には上蓋が邪魔にならず食べやすいものが求められている。
【０００４】
（先行技術）従来、紙片を裁断し折線を設け、折り合わせて熱又は粘着材による貼合で成形するもので、本体の上下端に連接する位置に適当な大きさの仕切り部を設け、これら仕切り部と本体を折って圧力によるシーリングの後、仕切り部を本体に内蔵し、仕切りを有するランチボックスが知られている（例えば、特許文献１参照。）。しかしながら、収納部分のみの構成で、上蓋及びその機能については何ら記載されていない。
また、左面板と前面板と右面板と後面板と底面板群とを、折り目線を介してそれぞれ連設して、後面板の上辺に、中央で２つ折りする左右方向の折り目線を設けた蓋面板と差込み片とを、折り目線を介して順に連設して、この蓋面板に、前辺を折り目線に一致させた谷折り線で構成して、後辺を折り目線より後退させた折り目線で構成して、左右辺を適宜の切れ目線で構成した、店頭で蓋面板を中央で２つ折りして立体表示部（本発明の上蓋に相当する）を有するディスプレーカートンが知られている（例えば、特許文献２参照。）。しかしながら、立体表示部が収納部の上部へ湾曲して突出され、張り出しているので、ディスプレイには好適であるが、ランチボックスとしては食材が取り出しにくいという欠点がある。
さらに、収納箱の後面板の上辺に、中央で２つ折りする左右方向の折り目線を設けた蓋面板と差込み片とを有し、商品を収容して、店頭で蓋面板を中央で２つ折りして展示する、板紙や段ボール製のディスプレーカートンも広く知られている。しかしながら、２つ折り蓋面板（本発明の上蓋に相当する）はロックされていないので、商品が詰まっていればよいが、商品の量が減ると、跳ね上がってしまうという欠点がある。
【０００５】
【特許文献１】実開平７−１１９２８号公報
【特許文献２】特開平８−９１３５７号公報
【発明の開示】
【発明が解決しようとする課題】
【０００６】
そこで、本発明はこのような問題点を解消するためになされたものである。その目的は、コストの増加せず、廃棄しやすく、開封時にも食品の汁などで周辺を汚さず、食する時には上蓋が邪魔にならず食べやすいランチボックスを提供することである。
【課題を解決するための手段】
【０００７】
上記の課題を解決するために、請求項１の発明に係わるランチボックスは、略矩形状の底面板（３１）の四辺から左面板（２３）と前面板（２５）と右面板（２７）と後面板（２１）が直立し、後面板（２１）の上辺に、第一上蓋板（１１）と、第二上蓋板（１３）と、差込み片（１５）とを、折り目線を介して順に連設して、直方体状に製箱したランチボックスにおいて、前記第一上蓋板（１１）および前記上第二蓋板（１３）の側縁部には、それぞれ、２本の切れ目線からなる第一のロック片（１１A）および第二のロック片（１３Ａ）がそれぞれ設けられ、前記第二のロック片（１３Ａ）と前記第一のロック片（１１Ａ）は、前記第一上蓋板（１１）と前記第二上蓋板（１３）とを連設する折り目線（１５）を挟んで形状および位置が対称であるとともに、側縁部に向かって幅が広がっており、前記第二上蓋板（１３）を折り目線（１５Ａ）で内側へ折り返して重ね合わせ、前記第ニのロック片（１３Ａ）と前記第一のロック片（１１Ａ）を重ねて押し込むことで開放可能にロックできることを特徴としたものである。
請求項２の発明に係わるランチボックスは、請求項１記載のランチボックスにおいて、前記第一上蓋板（１１）の第一のロック片と反対の側縁部には、２本の切れ目線からなる第三のロック片（１１B）が、および、前記第二上蓋板（１３）の第二のロック片と反対の片側縁部には、２本の切れ目線からなる第四のロック片（１３Ｂ）が、それぞれ設けられ、前記第四のロック片（１３Ｂ）と前記第三のロック片（１１Ｂ）は、前記第一上蓋板（１１）と前記第二上蓋板（１３）とを連設する折り目線（１５）を挟んで形状および位置が対称であるとともに、側縁部に向かって幅が広がっており、前記第二上蓋板（１３）を折り目線（１５Ａ）で内側へ折り返して重ね合わせ、前記第二のロック片（１３Ａ）と前記第一のロック片（１１Ａ）、及び前記第4のロック片（１３Ｂ）と前記第三のロック片（１１Ｂ）とを重ねて押し込むことで開放可能にロックできることを特徴としたものである。
【発明の効果】
【０００８】
請求項１の本発明によれば、コストが増加せず、廃棄しやすく、開封時にも食品の汁などで周辺を汚さず、食する時には上蓋が邪魔にならず食べやすいランチボックスが提供される。また、ロックが開放可能であり、使用後に開放し分解することで、より廃棄しやすいランチボックスが提供される。
請求項２の本発明によれば、請求項１の効果に加えて、食する時には上蓋が強固にロックできるので、より邪魔にならず食べやすいランチボックスが提供される。
【発明を実施するための最良の形態】
【０００９】
以下、本発明の実施形態について、図面を参照しながら、詳細に説明する。
図１は、本発明の１実施例を示すランチボックスの斜視図である。
図２は、本発明の１実施例を示すランチボックスの展開平面図である。
【００１０】
本発明のランチボックス１０は、図１（Ａ）に示すように、底面板（３１）と、該底面板（３１）から直立し糊代片（２９）で連設された左面板（２３）、前面板（２５）、右面板（２７）及び後面板（２１）とからなる箱状容器であり、前記後面板（２１）の上辺に第一上蓋板（１１）と第二上蓋板（１３）と差込み片（１５）とを設けてあり、該第一上蓋板（１１）と第二上蓋板（１３）と差込み片（１５）との略中央で２つ折りする左右方向の折り目線（１５Ａ）が設けられている。
切れ目線（１Ａ）及び切れ目線（１Ｂ）で形成された第二のロック片（１３Ａ）と切れ目線（１Ｃ）及び切れ目線（１Ｄ）で形成された第一のロック片（１１Ａ）とが、折り目線（１５Ａ）から対称位置に設け、好ましくは、さらに、切れ目線（３Ａ）及び切れ目線（３Ｂ）で形成された第四のロック片（１３Ｂ）と切れ目線（３Ｃ）及び切れ目線（３Ｄ）で形成された第三のロック片（１１Ｂ）と、が上記折り目線（１５Ａ）から対称位置に設ける。
【００１１】
（ブランク）本発明のランチボックス１０を展開したブランクの１実施例を図２に示す。底面板（３１）と左面板（２３）と前面板（２５）と右面板（２７）と後面板（２１）と糊代片（２９）とを折り目線を介してそれぞれ連設する。後面板（２１）の上辺に、略中央で２つ折りする左右方向の折り目線（１５Ａ）を設けた第一上蓋板（１１）と第二上蓋板（１３）と差込み片（１５）とを、折り目線を介して順に連設する。切れ目線（１Ａ）及び切れ目線（１Ｂ）で形成された第二のロック片（１３Ａ）と切れ目線（１Ｃ）及び切れ目線（１Ｄ）で形成された第一のロック片（１１Ａ）とが、折り目線（１５Ａ）から対称位置に設ける。さらに、好ましくは、切れ目線（３Ａ）及び切れ目線（３Ｂ）で形成された第四のロック片（１３Ｂ）と切れ目線（３Ｃ）及び切れ目線（３Ｄ）で形成された第三のロック片（１１Ｂ）と、が上記折り目線（１５Ａ）から対称位置に設ける。
【００１２】
（ロック片）第二のロック片（１３Ａ）、第一のロック片（１１Ａ）、第四のロック片（１３Ｂ）及び第三のロック片（１１Ｂ）は、いずれも、図１（Ａ）に示すように、外側に広がっているようにする。広がり形状は任意でよく、例えば、図１（Ａ）に示す直線の台形状でも、曲線でもよく、要は外側に広がっていれば、途中で狭くしてもよい。このようにすることで、対称位置の折り目線（１５Ａ）から折り返すと、２つの片が重なり、該重なった２つの片を押し込むことで、容易にロックすることができる。
【００１３】
（折り目線）折り目線（１５Ａ）は、第二のロック片（１３Ａ）と第一のロック片（１１Ａ）、第四のロック片（１３Ｂ）と第三のロック片（１１Ｂ）との中間に設ければよく、折り目線（１５Ａ）の位置は、第一上蓋板（１１）と第二上蓋板（１３）と差込み片（１５）の略中央でよく、例えば、中央に設ければ、図１（Ｂ）に示すように、後面板（２１）の上辺に折り畳まれる。中央より後面板（２１）側に設ければ、後面板（２１）に重なるように折り畳まれるので、より上部の高さを低くでき、より食べやすく、用途によって、適宜決めればよい。
【００１４】
（片側ロック）切れ目線（１Ａ）及び切れ目線（１Ｂ）で形成された第二のロック片（１３Ａ）と切れ目線（１Ｃ）及び切れ目線（１Ｄ）で形成された第一のロック片（１１Ａ）とが、折り目線（１５Ａ）から対称位置に設けられているので、上記第二のロック片（１３Ａ）と第一のロック片（１１Ａ）とが、折り目線（１５Ａ）で内側へ折り返して、２つのロック片を重ねて押し込むことで、容易に開放可能にロックできる直方体状に製箱したランチボックスとすることができる。
【００１５】
（両側ロック）好ましくは、さらに、切れ目線（３Ａ）及び切れ目線（３Ｂ）で形成された第四のロック片（１３Ｂ）と切れ目線（３Ｃ）及び切れ目線（３Ｄ）で形成された第三のロック片（１１Ｂ）と、が上記折り目線（１５Ａ）から対称位置に設けられているので、第四のロック片（１３Ｂ）と第三のロック片（１１Ｂ）とが、折り目線（１５Ａ）で内側へ折り返して、各々の２つのロック片を重ねて押し込むことで、図１（Ｂ）に示すように、開放可能にロックできる直方体状に製箱したランチボックスとすることができる。開封時には、通常外側に折り返し底部に敷くが、付着している水分や汁分がテーブルや机上などの周辺を汚してしまうが、本発明では上蓋を内側へ折り返すので、例え、水分や食品の汁などが付着していても、周辺を汚すことがない。また、上蓋を内側へ２つ折りに折り込むと、跳ね返りやすく手で押えなくてはならないが、本発明では食する時にも、両側がより安定してロックされているので、手で押えることなく、また、上蓋も重なって折られていりので、邪魔にならず、極めて食べやすいのである。
【００１６】
（底の構成）図２では、底面板（３１）が底面板群（３３＋３５＋３７＋３９）から構成された１例を示しているが、底部は１枚片の糊付け、組み立て底、オートロック形式などでもよい。また、仕切りを設けたり、トレーや複数の小分け皿状物を載置してもよい。
【００１７】
（材料）本発明のランチボックス１０を構成する材料としては、特に限定されるものではないが、例えば、紙、板紙、段ボール、及びプラスチックシートや、これらの複数の積層材などが適用できる。廃棄、リサイクル性の点で紙製の材料が好ましい。
【００１８】
（製造）本発明のランチボックス１０の製造にあたっては、切れ目線（１Ａ）及び切れ目線（１Ｂ）、並びに／又は、切れ目線（３Ａ）及び切れ目線（３Ｂ）を、折り目線（１５Ａ）から対称位置に設ければよいので、従来の設備及び技術で、容易に、コストが増加することなく、製造することができる。
【００１９】
（廃棄）使用後には廃棄することになるが、従来のように、上蓋材を切り取っていないので、廃棄時に別々ではなく、一体的に廃棄できるので、廃棄に便利である。また、水分や食品の汁などが付着していた上蓋でも、通常内面側に付着しているので２つ折りした際に閉じ込められているので、廃棄処理時にも手などを汚すことがない。
【実施例】
【００２０】
以下、実施例及び比較例により、本発明を更に詳細に説明するが、これに限定されるものではない。
【００２１】
（実施例１）厚さ１５μｍのポリエチレンと積層した坪量２００ｇ／ｍ2の板紙を用いて、図２に示すようなブランクを公知の打抜機で作成した。底面板（３１）は２０ｃｍ×２０ｃｍで、左面板（２３）と前面板（２５）と右面板（２７）と後面板（２１）の高さは６ｃｍで、後面板（２１）の上辺から１２ｃｍに２つ折りする左右方向の折り目線（１５Ａ）を設けた第一上蓋板（１１）と第二上蓋板（１３）と差込み片（１５）とを連設した。第二のロック片（１３Ａ）、第一のロック片（１１Ａ）、第四のロック片（１３Ｂ）及び第三のロック片（１１Ｂ）は、短辺が５ｍｍ、外側の長辺が８ｍｍの台形状とした。箱状に組み立てた後に、第一上蓋板（１１）と第二上蓋板（１３）を折り目線（１５Ａ）から内側へ２つ折りしたところ、第二のロック片（１３Ａ）とロック片第一の（１１Ａ）、第四のロック片（１３Ｂ）と第三のロック片（１１Ｂ）とは表裏面が相対状態で重なり、各々の２つ重なったロック片を押し込んだところ、第一上蓋板（１１）と第二上蓋板（１３）のロック片跡の空間部へ引っかかってロックされた。また、ロック片は簡単に戻すことができ、ロックは容易に開放された。
【図面の簡単な説明】
【００２２】
【図１】本発明の１実施例を示すランチボックスの斜視図である。
【図２】本発明の１実施例を示すランチボックスの展開平面図である。
【符号の説明】
【００２３】
１０：ランチボックス
１１：第一上蓋板
１３：第二上蓋板
１５：差込み片
２１：後面板
２３：左面板
２５：前面板
２９：糊代片
３１：底面板
３３、３５、３７、３９：底面板群
１Ａ、１Ｂ、１Ｃ、１Ｄ：切れ目線
３Ａ、３Ｂ、３Ｃ、３Ｄ：切れ目線
１１Ａ：第一のロック片
１１Ｂ：第三のロック片
１３Ａ：第二のロック片
１３Ｂ：第四のロック片
１５Ａ：折り目線
【図１】
0004887723.tif 000002
【図２】
0004887723.tif 000003